(57)【特許請求の範囲】
【請求項１】
コンタクトを保持するハウジングと、
前記ハウジングを覆うシェルと、
相手側コネクタが挿入される挿入空間部と、
前記挿入空間部に挿入される前記相手側コネクタが第１コネクタであるとき、その挿入を許容し、前記挿入空間部に挿入される前記相手側コネクタが前記第１コネクタと異なる第２コネクタであるとき、その挿入を阻む誤挿入防止手段と
を備えているコネクタにおいて、
前記誤挿入防止手段が、
前記シェルの前後方向と直交する前記シェルの上下方向へ弾性変形可能なばね部と、
前記ばね部に設けられ、前記挿入空間部に前記第１コネクタが挿入されたとき前記挿入空間部からその外へ押し出されるコネクタ検出部と、
前記ばね部の前記コネクタ検出部よりも後側かつ前記挿入空間部の中心側に設けられ、前記挿入空間部に前記第２コネクタが挿入されたとき、その挿入を阻む挿入阻止部とを有し、
前記挿入空間部に前記第１コネクタが挿入されたとき、前記コネクタ検出部の変位を許容し、前記挿入空間部に前記第１、第２コネクタと異なる第３コネクタが挿入されたとき、前記コネクタ検出部の変位を阻止する誤挿入防止手段規制部が、前記シェルに前記相手側コネクタの挿入方向及び前記シェルの前記上下方向と直交する方向へ弾性変形可能に設けられている
ことを特徴とするコネクタ。
【請求項２】
前記シェルに、前記挿入阻止部の後側に隙間を介して対向する平面部が形成されていることを特徴とする請求項１記載のコネクタ。
【請求項３】
前記誤挿入防止手段が、一対の前記ばね部、一対の前記コネクタ検出部及び一対の前記挿入阻止部を有し、
少なくとも前記一対の前記コネクタ検出部及び前記一対の前記挿入阻止部が前記シェルの左右に配置されている
ことを特徴とする請求項１又は２記載のコネクタ。
【請求項４】
前記誤挿入防止手段が前記シェルの上面側又は下面側のいずれかに配置されている
ことを特徴とする請求項１〜３のいずれか１項記載のコネクタ。
【請求項５】
前記ばね部が、前記相手側コネクタの挿入方向と平行な前記シェルの前記前後方向へ延びている
ことを特徴とする請求項１〜４のいずれか１項記載のコネクタ。
【請求項６】
前記誤挿入防止手段が前記シェルに装着された部品である
ことを特徴とする請求項１〜４のいずれか１項記載のコネクタ。
【請求項７】
前記誤挿入防止手段が前記シェルと一体に形成されている
ことを特徴とする請求項１〜４のいずれか１項記載のコネクタ。
【発明の詳細な説明】
【技術分野】
【０００１】
この発明はコネクタに関する。
【背景技術】
【０００２】
従来、基板９１１上に搭載されるレセプタクル９０１と、レセプタクル９０１に接続されるプラグ９０５とからなるコネクタが知られている(下記特許文献１参照)。このコネクタを図２９〜図３２に基づいて説明する。なお、図２９〜図３２はそれぞれ下記特許文献１の図１、図２、図７、図８に対応する。但し、図中の符号は変更され、一部の符号は削除されている。
【０００３】
図２９、図３０に示すように、レセプタクル９０１は略角筒状のシールドケース９０２を有する。図３１、図３２に示すように、プラグ９０５は、レセプタクル９０１のシールドケース９０２に挿入される略角筒状のシールドケース９０６を有する。
【０００４】
レセプタクル９０１のシールドケース９０２にプラグ９０５のシールドケース９０６を挿入することにより、レセプタクル９０１の接続端子９３１（図３０参照）とプラグ９０５の接続端子９７１（図３１参照）とが電気的に接続される。
【０００５】
図２９、図３０に示すように、レセプタクル９０１は誤挿入防止案内片９２３を有する。誤挿入防止案内片９２３は、シールドケース９０２の開口側の一部を開口９０１ａ内部へ折り曲げて立ち上げたものである。
【０００６】
図３１に示すように、プラグ９０５は誤挿入防止案内片９２３に対応する切欠部９６３を有する。
【０００７】
レセプタクル９０１のシールドケース９０２にプラグ９０５のシールドケース９０６を挿入するとき、レセプタクル９０１の誤挿入防止案内片９２３とプラグ９０５の切欠部９６３とが嵌合する。
【先行技術文献】
【特許文献】
【０００８】
【特許文献１】特開２００７−１４９６０２号公報（段落００１８、００２１、図１、図２、図７、図８等）
【発明の概要】
【発明が解決しようとする課題】
【０００９】
上述のように、誤挿入防止案内片９２３は、シールドケース９０２の開口側の一部を開口９０１ａ内部へ折り曲げて立ち上げたものであるので、プラグ９０５は誤挿入防止案内片９２３に対応する切欠部９６３を有していなければならない。
【００１０】
もし、プラグ９０５に切欠部９６３が無ければ、レセプタクル９０１のシールドケース９０２にプラグ９０５のシールドケース９０６を挿入することはできない。
【００１１】
すなわち、プラグ９０５は、レセプタクル９０１の誤挿入防止案内片９２３との干渉を回避する形状（誤挿入を防ぐための形状）として、切欠部９６３を有していなければならない。
【００１２】
プラグ９０５の形状はレセプタクル９０１の誤挿入防止案内片９２３の形状に応じて決定されることになるので、誤挿入を防ぐ特別な形状を有さないプラグ９０５はレセプタクル９０１の接続対象とはなり得ず、レセプタクル９０１の接続対象となり得る相手側コネクタは限定されることになる。規格等の制約から相手側コネクタに誤挿入を防ぐ特別な形状を施せないことがあり、誤挿入防止上の問題となっていた。
【００１３】
この発明はこのような事情に鑑みてなされたもので、その課題は、誤挿入を防ぐ特別な形状を有さない相手側コネクタとの間で誤挿入を防ぐことができるコネクタを提供することである。
【課題を解決するための手段】
【００１４】
上述の課題を解決するため請求項１記載の発明は、コンタクトを保持するハウジングと、前記ハウジングを覆うシェルと、相手側コネクタが挿入される挿入空間部と、前記挿入空間部に挿入される前記相手側コネクタが第１コネクタであるとき、その挿入を許容し、前記挿入空間部に挿入される前記相手側コネクタが前記第１コネクタと異なる第２コネクタであるとき、その挿入を阻む誤挿入防止手段とを備えているコネクタにおいて、前記誤挿入防止手段が、前記シェルの前後方向と直交する前記シェルの上下方向へ弾性変形可能なばね部と、前記ばね部に設けられ、前記挿入空間部に前記第１コネクタが挿入されたとき前記挿入空間部からその外へ押し出されるコネクタ検出部と、前記ばね部の前記コネクタ検出部よりも後側かつ前記挿入空間部の中心側に設けられ、前記挿入空間部に前記第２コネクタが挿入されたとき、その挿入を阻む挿入阻止部とを有し、前記挿入空間部に前記第１コネクタが挿入されたとき、前記コネクタ検出部の変位を許容し、前記挿入空間部に前記第１、第２コネクタと異なる第３コネクタが挿入されたとき、前記コネクタ検出部の変位を阻止する誤挿入防止手段規制部が、前記シェルに前記相手側コネクタの挿入方向及び前記シェルの前記上下方向と直交する方向へ弾性変形可能に設けられていることを特徴とする。
【００１５】
請求項２記載の発明は、請求項１記載のコネクタにおいて、前記シェルに、前記挿入阻止部の後側に隙間を介して対向する平面部が形成されていることを特徴とする。
【００１６】
請求項３記載の発明は、請求項１又は２記載のコネクタにおいて、前記誤挿入防止手段が、一対の前記ばね部、一対の前記コネクタ検出部及び一対の前記挿入阻止部を有し、少なくとも前記一対の前記コネクタ検出部及び前記一対の前記挿入阻止部が前記シェルの左右に配置されていることを特徴とする。
【００１７】
請求項４記載の発明は、請求項１〜３のいずれか１項記載のコネクタにおいて、前記誤挿入防止手段が前記シェルの上面側又は下面側のいずれかに配置されていることを特徴とする。
【００１９】
請求項５記載の発明は、請求項１〜４のいずれか１項記載のコネクタにおいて、前記ばね部が、前記相手側コネクタの挿入方向と平行な前記シェルの前記前後方向へ延びていることを特徴とする。
【００２０】
請求項６記載の発明は、請求項１〜４のいずれか１項記載のコネクタにおいて、前記誤挿入防止手段が前記シェルに装着された部品であることを特徴とする。
【００２１】
請求項7記載の発明は、請求項１〜４のいずれか１項記載のコネクタにおいて、前記誤挿入防止手段が前記シェルと一体に形成されていることを特徴とする。
【発明の効果】
【００２２】
この発明によれば、誤挿入を防ぐ特別な形状を有さない相手側コネクタとの間で誤挿入を防ぐことができる。
【図面の簡単な説明】
【００２３】
【図１】図１はこの発明の第１実施形態のコネクタをプリント基板に実装した状態を示す斜視図である。
【図２】図２は図１に示すコネクタを斜め後方から見たときの斜視図である。
【図３】図３は図１に示すコネクタの分解斜視図である。
【図４】図４は図１に示すコネクタの正規の相手側コネクタである第１コネクタの斜視図である。
【図５】図５は図１に示すコネクタの正規の相手側コネクタではない第２コネクタの斜視図である。
【図６】図６は図１に示すコネクタに図４に示す第１コネクタの先端を挿入した状態を示す概念図である。
【図７】図７は図１に示すコネクタに図５に示す第２コネクタの先端を挿入した状態を示す概念図である。
【図８】図８はこの発明の第２実施形態のコネクタの斜視図である。
【図９】図９は図８に示すコネクタの誤挿入防止手段の斜視図である。
【図１０】図１０は図９に示すコネクタの誤挿入防止手段の平面図である。
【図１１】図１１はこの発明の第３実施形態のコネクタの斜視図である。
【図１２】図１２は図１１に示すコネクタの平面図である。
【図１３】図１３は図１１に示すコネクタの底面図である。
【図１４】図１４は図１１に示すコネクタのシェルの斜視図である。
【図１５】図１５は図１１に示すコネクタのシェルの平面図である。
【図１６】図１６はこの発明の第４実施形態のコネクタをプリント基板に実装した状態を示す斜視図である。
【図１７】図１７は図１６に示すコネクタの分解斜視図である。
【図１８】図１８は図１７に示す分解状態のコネクタの底面図である。
【図１９】図１９は図１６に示すコネクタを裏返した状態の斜視図である。
【図２０】図２０は図１９のXX-XX線に沿う断面図である。
【図２１】図２１は図１６に示すコネクタに図４に示す第１コネクタの先端を挿入した状態を示す概念図である。
【図２２】図２２は図１６に示すコネクタに図５に示す第２コネクタの先端を挿入した状態を示す概念図である。
【図２３】図２３はこの発明の第５実施形態のコネクタの斜視図である。
【図２４】図２４は図２３に示すコネクタの底面図である。
【図２５】図２５はこの発明の第６実施形態のコネクタの斜視図である。
【図２６】図２６は図２５に示すコネクタの部分拡大図である。
【図２７】図２７は図２５に示すコネクタの底面図である。
【図２８】図２８はこの発明の第７実施形態のコネクタの分解斜視図である。
【図２９】図２９は従来のレセプタクルの斜視図である。
【図３０】図３０は図２９に示すレセプタクルの正面図である。
【図３１】図３１は図２９に示すレセプタクルの相手側コネクタであるプラグの正面図である。
【図３２】図３２は図３１に示すプラグの側面図である。
【発明を実施するための形態】
【００２４】
以下、この発明の実施の形態を図面に基づいて説明する。
【００２５】
まず、この発明の第１実施形態のコネクタを図１〜図７に基づいて説明する。
【００２６】
図１、図２、図３に示すように、コネクタ１００は複数のコンタクト１０とハウジング２０とシェル３０と誤挿入防止手段５０とを備える。なお、相手側コネクタである第１コネクタ１１００(図４参照)が挿入される挿入空間部４０の開口のある側がコネクタ１００の前側、その反対側がコネクタ１００の後側、プリント基板１２００と相対する側がコネクタ１００の下側、その反対側がコネクタ１００の上側である。
【００２７】
コンタクト１０は導電性を有する金属板から形成され、接触部１１と端子部１２と連結部（図示せず）とを有する。接触部１１は正規の相手側コネクタである第１コネクタ１１００のコンタクト１１１０に接触する。端子部１２はプリント基板１２００のパッド１２０３に半田付けされる。連結部は接触部１１と端子部１２とを連結し、ハウジング２０に埋設されている。
【００２８】
ハウジング２０は絶縁性樹脂から形成され、ハウジング本体２１と接触部配置部２２とを有する。接触部配置部２２はほぼ板状であり、ハウジング本体２１の前面に連なる。接触部配置部２２の上下面にそれぞれコンタクト１０の接触部１１が等間隔に配置されている。ハウジング本体２１の後面から複数の端子部１２が突出し、端子部１２のパッド１２０３側の端部は前後方向へ２列に並んでいる。
【００２９】
シェル３０は１つの金属板に打抜き加工と曲げ加工とを施すことによって形成され、上面部３１と底面部３２と側面部３３とを有する。シェル３０はハウジング２０を覆う。シェル３０の内壁面とハウジング２０の接触部配置部２２との間に挿入空間部４０が形成される。コネクタ１００のシェル３０と第１コネクタ１１００のシェル１１３０との両側部の下部は面取りを施したような形状になっており（図１、図４参照）、シェル３０とシェル１１３０との断面形状がほぼＤ字形である。したがって、第１コネクタ１１００をその上下が逆の状態ではコネクタ１００の挿入空間部４０に挿入できない。
【００３０】
上面部３１には一対のロックばね片３１ａが形成されている。一対のロックばね片３１ａは上面部３１の両側部に位置し、シェル３０の前後方向ＤＦに沿って延びている。ロックばね片３１ａは第１コネクタ１１００をロックする。上面部３１には打抜き加工時に形成された孔３１ｂがある。上面部３１の前部の左右両端部には孔３１ｂに通じる第１切欠部３１ｃが形成されている。第１切欠部３１ｃは後述する誤挿入防止手段５０のコネクタ検出部５２を受け入れる。また、上面部３１の前部の中央部には孔３１ｂに通じる第２切欠部３１ｄが形成されている。第２切欠部３１ｄは誤挿入防止手段５０の挿入阻止部５３を受け入れる。シェル３０の第２切欠部３１ｄの内周面に形成された平面部３１ｅは挿入阻止部５３の後面５３ａと隙間を介して対向する。
【００３１】
側面部３３の前部の外側にはほぼＬ字形の第１スルーホール挿入部３３ａが形成されている。第１スルーホール挿入部３３ａは側面部３３に連なり、側面部３３と平行になるように折り返されている。側面部３３の後部から第２スルーホール挿入部３３ｂが下方へ突出している。また、側面部３３には接触ばね片３３ｃが形成されている。更に、側面部３３の後部には、２つのラッチ挿入孔３３ｄが形成されている。
【００３２】
シェル３０内に形成された挿入空間部４０には第１コネクタ１１００が挿入される。
【００３３】
誤挿入防止手段５０はシェル３０と別の部品である。誤挿入防止手段５０はシェル３０の上面部３１側に装着されている。誤挿入防止手段５０は１つの金属板に打抜き加工及び曲げ加工を施すことによって形成されている。
【００３４】
誤挿入防止手段５０は、挿入空間部４０に挿入される相手側コネクタが正規の相手側コネクタ、すなわち第１コネクタ１１００であるとき、その挿入を許容し、挿入空間部４０に挿入される相手側コネクタが非正規の相手側コネクタ、すなわち第１コネクタ１１００と異なる第２コネクタ７００であるとき、その挿入を阻む。
【００３５】
誤挿入防止手段５０は一対のばね部５１と一対のコネクタ検出部５２と一対の挿入阻止部５３と一対の側面板５４とを有する。ばね部５１はシェル３０の後部から前部側に向けて延びる。ばね部５１はシェル３０の前後方向ＤＦと直交するシェル３０の上下方向ＤＴへ弾性変形可能である。コネクタ検出部５２はばね部５１の前端部に設けられ、上下方向ＤＴへ延びている。コネクタ検出部５２は傾斜面５２ａを有する。傾斜面５２ａは底面部３２に対して傾いており、傾斜面５２ａの後端が底面部３２に近く、傾斜面５２ａの前端が底面部３２から遠い。コネクタ検出部５２は、挿入空間部４０に第１コネクタ１１００が挿入されるとき挿入空間部４０からその外へ押し出される。挿入阻止部５３はばね部５１のコネクタ検出部５２よりも後側かつシェル３０の左右方向ＤＲで挿入空間部４０の中心側に設けられている。挿入阻止部５３は、挿入空間部４０に第２コネクタ７００が挿入されるとき、その挿入を阻む。
【００３６】
ばね部５１の後端部には側面板５４が連なる。側面板５４には２つのラッチ５４ａが形成されている。
【００３７】
一対のばね部５１の後端部は連結部５５で連結されている。連結部５５には２つの圧入部５６が連なる。圧入部５６は下方へ延びている。圧入部５６には突起部５６ａとダボ５６ｂとが設けられている。ダボ５６ｂは誤挿入防止手段５０の前後方向ＤＦの動きを抑制する。
【００３８】
２つの圧入部５６はハウジング２０に圧入され、ラッチ５４ａはシェル３０のラッチ挿入孔３３ｄに挿入される。誤挿入防止手段５０はハウジング２０に固定され、シェル３０に装着されて保持される。一対のコネクタ検出部５２、一対の挿入阻止部５３等はシェル３０の上面部３１の左右に配置される。
【００３９】
コネクタ１００をプリント基板１２００に実装するには、第１、第２スルーホール挿入部３３ａ，３３ｂをそれぞれスルーホール１２０１，１２０２に挿入するとともに、端子部１２をパッド１２０３上に配置し、その後、第１、第２スルーホール挿入部３３ａ，３３ｂをスルーホール１２０１，１２０２に、端子部１２をパッド１２０３にそれぞれ半田付けすればよい。
【００４０】
図４に示すように、コネクタ１００に対して正規の相手側コネクタである第１コネクタ１１００は、上下２列に配置された複数のコンタクト１１１０と、複数のコンタクト１１１０を保持するハウジング１１２０と、ハウジング１１２０を覆うシェル１１３０とで構成されている。シェル１１３０の上面には２つの切欠部１１３０ａが形成されている。
【００４１】
図５に示すように、コネクタ１００に対して非正規の相手側コネクタである第２コネクタ７００は、複数のコンタクト７１０と、複数のコンタクト７１０を保持するハウジング７２０と、ハウジング７２０を覆うシェル７３０とで構成されている。第１コネクタ１１００と第２コネクタ７００とは、それぞれの断面形状がＤ字形である点で共通するが、左右方向ＤＲの寸法が異なる点等で相違する。第１コネクタ１１００の左右方向ＤＲの寸法は第２コネクタ７００の左右方向ＤＲの寸法より大きい。なお、第２コネクタ７００の上下方向ＤＴの寸法は、第１コネクタ１１００の上下方向の寸法と同一でも、また小さくてもどちらでもよい。
【００４２】
図６に示すように、コネクタ１００のシェル３０に第１コネクタ１１００の先端部を挿入すると、第１コネクタ１１００のシェル１１３０の先端が誤挿入防止手段５０のコネクタ検出部５２の傾斜面５２ａを押圧する。その結果、コネクタ検出部５２は上方へ移動し、挿入空間部４０から出る。このとき、ばね部５１は弾性変形し、挿入阻止部５３はコネクタ検出部５２とともに挿入空間部４０から出る。その結果、第１コネクタ１１００の挿入空間部４０内への侵入を阻むものがなくなるので、第１コネクタ１１００を挿入空間部４０に挿入できる。第１コネクタ１１００が挿入空間部４０に挿入されると、シェル１１３０の切欠部１１３０ａにコネクタ１００のロックばね片３１ａの先端部が嵌り、第１コネクタ１１００がコネクタ１００にロックされる。また、コネクタ１００の接触ばね片３３ｃが第１コネクタ１１００のシェル１１３０に接触し、シェル３０とシェル１１３０とが導通する。
【００４３】
第１コネクタ１１００のシェル１１３０の先端が誤挿入防止手段５０のコネクタ検出部５２の傾斜面５２ａを押圧し、コネクタ検出部５２が上方へ移動すると、ばね部５１は上方へ撓む。このとき、ばね部５１には側面板５４の中心部を回転中心とするモーメントが発生するが、側面板５４に形成されたラッチ５４ａが２つあり、２つのラッチ５４がそれぞれラッチ挿入孔３３ｄに挿入されているので、ばね部５１の回転が阻止される。
【００４４】
図７に示すように、コネクタ１００のシェル３０に第２コネクタ７００の先端部を挿入すると、第２コネクタ７００のシェル７３０の先端が誤挿入防止手段５０のコネクタ検出部５２の傾斜面５２ａに接触しないので、コネクタ検出部５２は移動しない。このため、挿入阻止部５３はコネクタ検出部５２とともに挿入空間部４０内に留まる。その結果、第２コネクタ７００のシェル７３０の先端が挿入阻止部５３に突き当たり、第２コネクタ７００は挿入阻止部５３によって挿入空間部４０内への挿入を阻まれる。
【００４５】
また、第２コネクタ７００を無理に挿入空間部４０に挿入しようとすると、ばね部５１が撓み、挿入阻止部５３が後方へ移動するが、移動してすぐに挿入阻止部５３の後面５３ａがシェル３０の平面部３１ｅに突き当たるため、挿入阻止部５３はそれ以上後退しなくなり、誤挿入の防止が確実に行える。
【００４６】
この実施形態によれば、誤挿入を防ぐ特別な形状を有さない相手側コネクタ（例えば、第２コネクタ７００）との間で誤挿入を防ぐことができる。
【００４７】
また、シェル３０は誤挿入防止手段５０の挿入阻止部５３の後面５３ａと隙間を介して対向する平面部３１ｅを有するので、コネクタ１に第２コネクタ７００のような非正規の相手側コネクタが挿入されたとき、誤挿入防止手段５０の塑性変形を防止することができる。
【００４８】
更に、コネクタ１００に正規の相手側コネクタである第１コネクタ１１００を挿入するとき、誤挿入防止手段５０に回転モーメントが発生するが、２つのラッチ５４ａがそれぞれラッチ挿入孔３３ｄに挿入されているので、誤挿入防止手段５０に発生したモーメントによって誤挿入防止手段５０が回転するのを阻止することができる。
【００４９】
また、相手側コネクタである第１コネクタ１１００に誤挿入防止のための形状を施す必要がないので、第１コネクタ１１００の大型化を防ぐことができる。
【００５０】
更に、この実施形態では、シェル３０の上面部３１側に誤挿入防止手段５０が配置されているので、コンタクト１０の端子部１２と誤挿入防止手段５０との干渉を避けるためにハウジング２０の前後方向ＤＦの寸法を大きくする必要がなく、ハウジング２０の大型化を防ぐことができる。
【００５１】
次に、この発明の第２実施形態のコネクタ２００を図８〜図１０に基づいて説明する。
【００５２】
第１実施形態と共通する部分については同一符号を付してその説明を省略する。以下、第１実施形態との主な相違部分についてだけ説明する。
【００５３】
第２実施形態のコネクタ２００の誤挿入防止手段２５０の一対のばね部２５１はそれらの後端部が一つに結合されて連結部２５５に連結されている。連結部２５５は一対の側面板５４を連結している。
【００５４】
第２実施形態によれば、第１実施形態と同様の作用効果を奏する。
【００５５】
次に、この発明の第３実施形態のコネクタ３００を図１１〜図１５に基づいて説明する。
【００５６】
第１実施形態と共通する部分については同一符号を付してその説明を省略する。以下、第１実施形態との主な相違部分についてだけ説明する。
【００５７】
第１実施形態のコネクタ１００では、誤挿入防止手段５０はシェル３０と別部品であるが、第３実施形態のコネクタ３００では、誤挿入防止手段３５０はシェル３３０と一体に形成されている。
【００５８】
誤挿入防止手段３５０は一対のばね部３５１と一対のコネクタ検出部５２と一対の挿入阻止部５３とで構成されている。ばね部３５１はほぼＳ字状に折り曲げられ、ばね部３５１の後端部はシェル３３０の上面部３３１の側縁部に連なり、ばね部３５１は上面部３３１側に折り返されている。
【００５９】
誤挿入防止手段３５０は、１つの金属板を打抜き及び曲げ加工してシェル３３０を形成するとき、そのシェル３３０と同時に形成される。このとき誤挿入防止手段３５０はシェル３３０の側面部３３や底面部３２となる部分の一部を打抜き及び曲げ加工して形成される。
【００６０】
第３実施形態では、コネクタ検出部５２はシェル３３０で囲まれていないので、露出しており、左右方向ＤＲでコネクタ検出部５２が大きく移動するおそれがある。このため、第３実施形態では、コネクタ検出部５２の左右方向ＤＲの移動を規制する規制部３３３ｅが第１スルーホール挿入部３３ａの上端部に設けられている。
【００６１】
第３実施形態によれば、第１実施形態と同様の作用効果を奏するとともに、誤挿入防止手段３５０がシェル３３０に一体に形成され、部品点数が少ないので、コネクタの組立てが容易である。
【００６２】
また、ばね部３５１がＳ字状に曲げられ、ばね部３５１の全長が長く、撓みやすいので、第１コネクタ１１００を挿入空間部４０に挿入しやすい。
【００６３】
次に、この発明の第４実施形態のコネクタ４００を図１６〜図２２に基づいて説明する。
【００６４】
第１実施形態と共通する部分については同一符号を付してその説明を省略する。以下、第１実施形態との主な相違部分についてだけ説明する。
【００６５】
第１実施形態のコネクタ１００では、誤挿入防止手段５０はシェル３０の上面部３１側に配置されているが、第４実施形態のコネクタ４００では、誤挿入防止手段４５０はシェル４３０の底面部４３２側に配置されている。
【００６６】
誤挿入防止手段４５０はばね部４５１とコネクタ検出部４５２と挿入阻止部４５３と連結部４５５とで構成されている。
【００６７】
ばね部４５１はＬ字形部分４５１ａとＵ字形部分４５１ｂとを有する。Ｌ字形部分４５１ａはシェル４３０の底面部４３２とほぼ平行である。Ｕ字形部分４５１ｂはＬ字形部分４５１ａに連なり、底面部４３２に対してほぼ直角である。コネクタ検出部４５２はばね部４５１の前端部に連なり、Ｌ字形に折り曲げられている。コネクタ検出部４５２は傾斜面４５２ａを有する。挿入阻止部４５３はばね部４５１の前端部に連なる。挿入阻止部４５３は、コネクタ検出部４５２よりも前後方向ＤＦで後方に位置しかつ左右方向ＤＲで挿入空間部４０の中心側に位置している。ばね部４５１のＬ字形部分４５１ａには規制部４５１ｃが設けられている。
【００６８】
連結部４５５は一対のばね部４５１を連結している。連結部４５５には２つの圧入部４５６が設けられている。圧入部４５６には突起部４５６ａが形成されている。
【００６９】
シェル４３０の底面部４３２の両側部にはそれぞれ孔４３２ａと孔４３２ａに通じる切欠部４３２ｂとが形成されている。シェル４３０は切欠部４３２ｂに臨む平面部４３２ｃを有する（図１９、図２０参照）。
【００７０】
圧入部４５６をハウジング２０に圧入することにより、誤挿入防止手段４５０はハウジング２０に固定され、ばね部４５１の一部、コネクタ検出部４５２及び挿入阻止部４５３は孔４３２ａを通じて挿入空間部４０内に配置される。また、規制部４５１ｃは切欠部４３２ｂに挿入され、規制部４５１ｃは隙間を介してシェル４３０の平面部４３２ｃと対向する。
【００７１】
図２１に示すように、コネクタ４００のシェル４３０に第１コネクタ１１００の先端部を挿入すると、第１コネクタ１１００のシェル１１３０の先端が誤挿入防止手段４５０のコネクタ検出部４５２の傾斜面４５２ａを押圧する。その結果、コネクタ検出部４５２は下方へ移動し、挿入空間部４０から出る。このとき、挿入阻止部４５３はコネクタ検出部４５２とともに挿入空間部４０から出る。その結果、第１コネクタ１１００の挿入空間部４０内への挿入を阻むものがなくなるので、第１コネクタ１１００を挿入空間部４０に挿入できる。第１コネクタ１１００が挿入空間部４０に挿入されると、シェル１１３０の切欠部１１３０ａにコネクタ１００のロックばね片３１ａの先端部が嵌り、第１コネクタ１１００がコネクタ４００にロックされる。また、コネクタ４００の接触ばね片３３ｃが第１コネクタ１１００のシェル１１３０に接触し、シェル４３０とシェル１１３０とが導通する。
【００７２】
図２２に示すように、コネクタ４００のシェル４３０に第２コネクタ７００の先端部を挿入すると、第２コネクタ７００のシェル７３０の先端が誤挿入防止手段４５０のコネクタ検出部４５２の傾斜面４５２ａに接触しないので、コネクタ検出部４５２は移動しない。このため、挿入阻止部４５３はコネクタ検出部４５２とともに挿入空間部４０内に留まる。その結果、第２コネクタ７００のシェル７３０の先端が挿入阻止部４５３に突き当たり、第２コネクタ７００は挿入阻止部４５３によって挿入空間部４０内への挿入を阻まれる。
【００７３】
また、第２コネクタ７００を無理に挿入しようとすると、ばね部４５１が撓み、挿入阻止部４５３が後方へ移動するが、規制部４５１ｃがシェル４３０の平面部４３２ｃに突き当たるため、誤挿入防止手段４５０が塑性変形しにくい。
【００７４】
第４実施形態によれば、第１実施形態と同様の作用効果を奏する。
【００７５】
次に、この発明の第５実施形態のコネクタ５００を図２３、図２４に基づいて説明する。
【００７６】
第１実施形態と共通する部分については同一符号を付してその説明を省略する。以下、第１実施形態との主な相違部分についてだけ説明する。なお、第５実施形態は第３実施形態と同様に、誤挿入防止手段とシェルとが一体形成された実施形態である。
【００７７】
第１実施形態のコネクタ１００では、誤挿入防止手段５０はシェル３０と別部品であり、シェル３０の上面部３１側に配置されているが、第５実施形態のコネクタ５００では、誤挿入防止手段５５０はシェル５３０と一体に形成され、底面部５３２側に配置されている。
【００７８】
誤挿入防止手段５５０は、１つの金属板を打抜き及び曲げ加工してシェル５３０を形成するとき、そのシェル５３０と同時に形成される。このとき誤挿入防止手段５５０はシェル５３０の底面部５３２となる部分の一部を打抜き及び曲げ加工して形成される。
【００７９】
誤挿入防止手段５５０はばね部５５１とコネクタ検出部５５２と挿入阻止部５５３とで構成されている。ばね部５５１はシェル５３０後部から前部へ前後方向ＤＦに沿って延びている。コネクタ検出部５５２は挿入阻止部５５３に連なり、Ｕ字形に折り曲げられ、傾斜面５５２ａを有する。挿入阻止部５５３はばね部５５１の前端部に連なる。挿入阻止部５５３は、コネクタ検出部５５２よりも前後方向ＤＦで後方に位置しかつ左右方向ＤＲで挿入空間部４０の中心側に位置している。
【００８０】
第５実施形態によれば、第３実施形態と同様の作用効果を奏する。
【００８１】
次に、この発明の第６実施形態のコネクタ６００を図２５〜図２７に基づいて説明する。
【００８２】
第１実施形態と共通する部分については同一符号を付してその説明を省略する。以下、第１実施形態との主な相違部分についてだけ説明する。なお、第６実施形態は第３実施形態と同様に、誤挿入防止手段とシェルとが一体形成された実施形態である。
【００８３】
第１実施形態のコネクタ１００では、誤挿入防止手段５０はシェル３０と別部品であり、シェル３０の上面部３１側に配置されているが、第６実施形態のコネクタ６００では、誤挿入防止手段６５０はシェル６３０と一体に形成され、底面部６３２側に配置され、一対の誤挿入防止手段規制部６０がシェル６３０に設けられている。
【００８４】
誤挿入防止手段６５０は、１つの金属板を打抜き及び曲げ加工してシェル６３０を形成するとき、そのシェル６３０と同時に形成される。このとき誤挿入防止手段６５０はシェル６３０の底面部６３２となる部分の一部を打抜き及び曲げ加工して形成される。
【００８５】
誤挿入防止手段６５０はばね部６５１とコネクタ検出部６５２と挿入阻止部６５３とで構成されている。ばね部６５１はシェル６３０前部から後部へ前後方向ＤＦに沿って延びている。コネクタ検出部６５２は挿入阻止部６５３に連なり、Ｕ字形に折り曲げられ、傾斜面６５２ａを有する。挿入阻止部６５３はばね部６５１の前端部に連なる。挿入阻止部６５３は、コネクタ検出部６５２よりも前後方向ＤＦで後方に位置し、かつ左右方向ＤＲで挿入空間部４０の中心側に位置している。
【００８６】
誤挿入防止手段規制部６０はシェル６３０の側面部６３３の一部を加工することによって形成されている。誤挿入防止手段規制部６０は検出部６１と可動規制部６２とばね部６３とを有する。検出部６１はばね部６３の前端部に連なる。検出部６１は傾斜面６１ａを有する。傾斜面６１ａは第１コネクタ１１００を挿入空間部４０へ誘い込みやすい形状になっている。傾斜面６１ａはコネクタ検出部６５２の傾斜面６５２ａよりも前方に位置している。可動規制部６２はばね部６３の前端部に連なる。可動規制部６２はＬ字形であり、その下部は挿入阻止部６５３の下方に位置している。ばね部６３はシェル６３０の後部から前部へ前後方向ＤＦに沿って延びている。
【００８７】
第６実施形態のコネクタ６００に第１コネクタ１１００を挿入すると、まず、シェル１１３０の先端が誤挿入防止手段規制部６０の検出部６１の傾斜面６１ａに接触して、検出部６１を挿入空間部４０から押し出し、可動規制部６２が挿入空間部４０から出る。
【００８８】
その後、第１コネクタ１１００のシェル１１３０の先端がコネクタ規制部６５２の傾斜面６５２ａを押圧し、コネクタ検出部６５２は挿入阻止部６５３とともに下方へ移動し、挿入空間部４０から出る。このとき、既に誤挿入防止手段規制部６０の可動規制部６２は挿入空間部４０から出ているので、可動規制部６２によって挿入阻止部６５３の移動は阻止されない。
【００８９】
以上のように、第１コネクタ１１００の挿入空間部４０への挿入を阻むものがなくなるので、第１コネクタを挿入空間部４０に挿入できる。
【００９０】
これに対し、第６実施形態のコネクタ６００に第２コネクタ７００を挿入しようとした場合、第２コネクタ７００のシェル７３０の先端が挿入阻止部６５３に突き当たるので、第２コネクタ７００を挿入空間部４０へ挿入できない。
【００９１】
シェルの断面形状は同じであり、コネクタ検出部６５２には接触するが、誤挿入防止手段規制部６０の検出部６１には接触しない大きさの第３コネクタ（図示せず）の先端部を挿入空間部４０に挿入しようとした場合、第３コネクタのシェルは傾斜面６５２ａを押圧し、コネクタ検出部６５２を押し下げようとするが、第３コネクタのシェルは誤挿入防止手段規制部６０の検出部６１の傾斜面に６１ａには接触しないので、可動規制部６２は移動しておらず、可動規制部６２は挿入阻止部６５３を支える。このため、挿入阻止部６５３の下方への移動が規制され、その結果、第３コネクタの挿入空間４０への挿入が阻止される。
【００９２】
第６実施形態によれば、第３実施形態と同様の作用効果を奏するとともに、相手側コネクタが正規のコネクタであるか非正規のコネクタであるかをより高いレベルで検出することができる。
【００９３】
次に、この発明の第７実施形態のコネクタ１４００を図２８に基づいて説明する。
【００９４】
第１実施形態と共通する部分については同一符号を付してその説明を省略する。以下、第１実施形態との主な相違部分についてだけ説明する。
【００９５】
第１〜第６実施形態のコネクタ１００，２００，３００，４００，５００，６００はそれぞれ１つの誤挿入防止手段５０，２５０，３５０，４５０，５５０，６５０を備えているが、第７実施形態のコネクタ１４００は２つの誤挿入防止手段１４５０，１４５０´を備えている。
【００９６】
誤挿入防止手段１４５０，１４５０´はシェル１４３０の底面部１４３２側に配置されている。誤挿入防止手段１４５０はばね部１４５１とコネクタ検出部１４５２と挿入阻止部１４５３と規制部１４５１ｃと圧入部１４５６とを有する。
【００９７】
ばね部１４５１はＵ字形部分１４５１ａとＬ字形部分１４５１ｂとを有する。Ｕ字形部分１４５１ａはシェル１４３０の底面部１４３２とほぼ平行である。Ｌ字形部分１４５１ｂはＵ字形部分１４５１ａに連なり、底面部１４３２に対してほぼ直角である。コネクタ検出部１４５２はばね部１４５１の前端部に連なり、Ｌ字形に折り曲げられている。コネクタ検出部１４５２は傾斜面１４５２ａを有する。挿入阻止部１４５３はばね部１４５１の前端部に連なる。挿入阻止部１４５３は、コネクタ検出部１４５２よりも前後方向ＤＦで後方に位置し、かつ左右方向ＤＲで挿入空間部４０の中心側に位置している。規制部１４５１ｃはばね部１４５１の前端部には連なる。規制部１４５１ｃはコネクタ検出部１４５２と逆方向へ折り曲げられている。圧入部１４５６はばね部１４５１の後端部には連なる。圧入部１４５６には突起部１４５６ａが形成されている。
【００９８】
誤挿入防止手段１４５０のばね部１４５１、コネクタ検出部１４５２、挿入阻止部１４５３、規制部１４５１ｃ及び圧入部１４５６の機能は、それぞれ第４実施形態の誤挿入防止手段４５０のばね部４５１、コネクタ検出部４５２、挿入阻止部４５３、規制部４５１ｃ及び圧入部４５６の機能と同様であるので、誤挿入防止手段１４５０の各部の機能の説明を省略する。
【００９９】
誤挿入防止手段１４５０´はばね部１４５１´とコネクタ検出部１４５２´と挿入阻止部１４５３´と規制部１４５１ｃ´と圧入部１４５６´とを有する。誤挿入防止手段１４５０´のばね部１４５１´、コネクタ検出部１４５２´、挿入阻止部１４５３´、規制部１４５１ｃ´及び圧入部１４５６´の形状は、それぞれ誤挿入防止手段１４５０のばね部１４５１、コネクタ検出部１４５２、挿入阻止部１４５３、規制部１４５１ｃ及び圧入部１４５６の左右を逆にした形状である。また、誤挿入防止手段１４５０´の大きさは誤挿入防止手段１４５０と同じである。更に、誤挿入防止手段１４５０´のばね部１４５１´、コネクタ検出部１４５２´、挿入阻止部１４５３´、規制部１４５１ｃ´及び圧入部１４５６´の機能は、それぞれ誤挿入防止手段１４５０のばね部１４５１、コネクタ検出部１４５２、挿入阻止部１４５３、規制部１４５１ｃ及び圧入部１４５６の機能と同じである。
【０１００】
シェル１４３０の底面部１４３２の両側部にはそれぞれ孔１４３２ａが形成されている。シェル１４３０は孔１４３２ａに臨む平面部１４３２ｃを有する。
【０１０１】
圧入部１４５６，１４５６´をハウジング２０に圧入することにより、誤挿入防止手段１４５０，１４５０´はハウジング２０に固定され、ばね部１４５１，１４５１´の一部、コネクタ検出部１４５２，１４５２´及び挿入阻止部１４５３，１４５３´はそれぞれ孔１４３２ａを通じて挿入空間部４０内に配置される。また、規制部１４５１ｃ，１４５１ｃ´は孔１４３２ｂに挿入され、隙間を介してシェル１４３０の平面部１４３２ｃと対向する。
【０１０２】
第７実施形態によれば、第１実施形態と同様の作用効果を奏する。
【０１０３】
なお、上述の実施形態では、シェル３０，３３０，４３０，５３０，６３０によって挿入空間部４０が形成されているが、ハウジング（図示せず）によって挿入空間部４０が形成されるようにしてもよい。
【０１０４】
また、第１〜第４、第７実施形態では、シェル３０，３３０，４３０，１４３０に平面部３１ｅ，４３２ｃ，１４３２ｃを設けたが、平面部３１ｅ，４３２ｃ，１４３２ｃは必ずしも必要ではない。
【０１０５】
なお、上述の第１〜第６実施形態では、一対のコネクタ検出部５２，４５２，５５２，６５２及び一対の挿入阻止部５３，４５３，５５３，６５３がシェル３０，３３０，４３０，５３０，６３０の左右に配置されているが、必ずしも一対のコネクタ検出部５２，４５２，５５２，６５２及び一対の挿入阻止部５３，４５３，５５３，６５３をシェル３０，３３０，４３０，５３０，６３０の左右に配置する必要はなく、１つのコネクタ検出部５２，４５２，５５２，６５２及び１つの挿入阻止部５３，４５３，５５３，６５３をシェル３０，３３０，４３０，５３０，６３０の左側又は右側だけに配置してもよい。
【０１０６】
また、第７実施形態では、２つの誤挿入防止手段１４５０，１４５０´をシェル１４３０の左右に配置したが、必ずしも２つの誤挿入防止手段１４５０，１４５０´をシェル１４３０の左右に配置する必要はなく、１つの誤挿入防止手段１４５０をシェル１４３０の左側又は右側だけに配置してもよい。
【０１０７】
なお、上述の実施形態では、ばね部５１，２５１，３５１，４５１，５５１，６５１，１４５１，１４５１´は第１コネクタ１１００の挿入方向ＤＩと平行なシェル３０，３３０，４３０，５３０，６３０，１４３０，１４３０´の前後方向ＤＦへ延びているが、ばね部５１，２５１，３５１，４５１，５５１，６５１，１４５１，１４５１´は必ずしもシェル３０，３３０，４３０，５３０，６３０，１４３０，１４３０´の後部から前部へ延びている必要はない。
【符号の説明】
【０１０８】
１００，２００，３００，４００，５００，６００，１４００：コネクタ、
１０：コンタクト、１１：接触部、１２：端子部、
２０：ハウジング、２１：ハウジング本体、２２：接触部配置部、
３０，３３０，４３０，５３０，６３０，１４３０：シェル、
３１，３３１：上面部、３１ａ：ロックばね片、３１ｂ：孔、３１ｃ：第１切欠部、３１ｄ：第２切欠部、３１ｅ：平面部、
３２，４３２，５３２，６３２，１４３２：底面部、４３２ａ，１４３２ａ：孔、４３２ｂ：切欠部、４３２ｃ，１４３２ｃ：平面部、
３３，６３３：側面部、３３ａ：第１スルーホール挿入部、３３ｂ：第２スルーホール挿入部、３３ｃ：接触ばね片、３３ｄ：ラッチ挿入孔、３３３ｅ：規制部
４０：挿入空間部
５０，２５０，３５０，４５０，５５０，６５０，１４５０，１４５０´：誤挿入防止手段
５１，２５１，３５１，４５１，５５１，６５１，１４５１，１４５１´：ばね部、
４５１ａ：Ｌ字形部分、４５１ｂ：Ｕ字形部分、４５１ｃ，１４５１ｃ、１４５１ｃ´：規制部、１４５１ａ，１４５１ａ´：Ｕ字形部分、１４５１ｂ，１４５１ｂ´：Ｌ字形部分、
５２，４５２，５５２，６５２，１４５２，１４５２´：コネクタ検出部、５２ａ，４５２ａ，５５２ａ，６５２ａ，１４５２ａ，１４５２ａ´：傾斜面、
５３，４５３，５５３，６５３，１４５３，１４５３´：挿入阻止部、５３ａ：後面、
５４：側面板、５４ａ：ラッチ、
５５，２５５，４５５：連結部
５６，４５６，１４５６，１４５６´：圧入部、５６ａ，４５６ａ，１４５６ａ、１４５６ａ´：突起部、５６ｂ：ダボ
６０：誤挿入防止手段規制部、６１ａ：傾斜面、６１：検出部、６２：可動規制部、６３：ばね部、
１１００：第１コネクタ、１１１０：コンタクト、１１２０：ハウジング、１１３０：シェル、１２００：プリント基板、１２０１：スルーホール、１２０２：スルーホール、１２０３：パッド、
７００：第２コネクタ、７１０：コンタクト、７２０：ハウジング、７３０：シェル。
【図１】
0005780672.tif 000002
【図２】
0005780672.tif 000003
【図３】
0005780672.tif 000004
【図４】
0005780672.tif 000005
【図５】
0005780672.tif 000006
【図６】
0005780672.tif 000007
【図７】
0005780672.tif 000008
【図８】
0005780672.tif 000009
【図９】
0005780672.tif 000010
【図１０】
0005780672.tif 000011
【図１１】
0005780672.tif 000012
【図１２】
0005780672.tif 000013
【図１３】
0005780672.tif 000014
【図１４】
0005780672.tif 000015
【図１５】
0005780672.tif 000016
【図１６】
0005780672.tif 000017
【図１７】
0005780672.tif 000018
【図１８】
0005780672.tif 000019
【図１９】
0005780672.tif 000020
【図２０】
0005780672.tif 000021
【図２１】
0005780672.tif 000022
【図２２】
0005780672.tif 000023
【図２３】
0005780672.tif 000024
【図２４】
0005780672.tif 000025
【図２５】
0005780672.tif 000026
【図２６】
0005780672.tif 000027
【図２７】
0005780672.tif 000028
【図２８】
0005780672.tif 000029
【図２９】
0005780672.tif 000030
【図３０】
0005780672.tif 000031
【図３１】
0005780672.tif 000032
【図３２】
0005780672.tif 000033